(57)【要約】【課題】テンプルの交換を容易にし、しかも使用時にはぐらつかずにしっかり固定する事。【解決手段】前端部に丁番部（２１）を有し、後方に該丁番部に連設される挿入用固定片（２２）と弾性挟持片（２４）との二股状部が設けられた連結回動部品（２０）と、合口部（１２）から後方に向かい前記連結回動部品の挿入用固定片が挿入されるメクラ穴（１４）が設けられた嵌合部（１３）を有するテンプル（１０）とを有し、前記連結回動部品の弾性挟持片と挿入用固定片によりテンプル嵌合部のメクラ穴の少なくとも一壁面を挟持する様にした。【選択図】図１
2009063978.tif 000002
【特許請求の範囲】
【請求項１】
前端部に丁番部を有し、後方に該丁番部に連設される挿入用固定片と弾性挟持片との二股状部が設けられた連結回動部品と、合口部から後方に向かい前記連結回動部品の挿入用固定片が挿入されるメクラ穴が設けられた嵌合部を有するテンプルとを有し、前記連結回動部品の弾性挟持片と挿入用固定片によりテンプル嵌合部のメクラ穴の少なくとも一壁面を挟持する様にされた事を特徴とする取替可能なテンプルの連結構造。
【請求項２】
前記連結回動部品の弾性挟持片とテンプル壁面外側面とに、外れ防止用凹凸部がそれぞれ対応する様に設けられた事を特徴とする請求項１記載の取替可能なテンプルの連結構造。
【請求項３】
前記テンプルが樹脂製である事を特徴とする請求項１記載の取替可能なテンプルの連結構造。
【請求項４】
前記テンプルが、樹脂以外の材料により形成され、メクラ穴が設けられる嵌合部部分が樹脂により作られ、前記樹脂以外の材料のテンプルに固着された事を特徴とする請求項１記載の取替可能なテンプルの連結構造。
【発明の詳細な説明】
【技術分野】
【０００１】  本発明は取替可能な眼鏡用テンプルの連結構造に関する。
【背景技術】
【０００２】  従来より、眼鏡のテンプル等をＴ．Ｐ．Ｏに応じて替える事によりそのファッション性を高める事が行われてきていた。例えば、特開２００１−１１７０５２の様に、差込プラグをソケット孔に差し込む事により眼鏡パーツを引き抜き分離可能にする技術が提案されてきている。【０００３】
【特許文献１】特開２００１−１１７０５２
【発明の開示】
【発明が解決しようとする課題】
【０００４】  上記特開２００１−１１７０５２の様にする事により、確かに眼鏡パーツ（テンプル）を迅速に取り替える事は可能となった。しかしながら、上記プラグ部分とソケット部分の嵌合だけでは余程しっかりした寸法精度が出ないとぐらついたり、テンプルが外れて抜け落ちるという事故が多発していた。
【課題を解決するための手段】
【０００５】  そこで、本発明は上記課題を解決する為に、前端部に丁番部を有し、後方に該丁番部に連設される挿入用固定片と弾性挟持片との二股状部が設けられた連結回動部品と、合口部から後方に向かい前記連結回動部品の挿入用固定片が挿入されるメクラ穴が設けられた嵌合部を有するテンプルとを有し、前記連結回動部品の弾性挟持片と挿入用固定片によりテンプル嵌合部のメクラ穴の少なくとも一壁面を挟持する様にした取替可能なテンプルの連結構造の提供により課題の解決を図った。【０００６】  次に、前記連結回動部品の弾性挟持片とテンプル壁面外側面とに、外れ防止用凹凸部がそれぞれ対応する様に設けて更にしっかり連結出来るようにした。【０００７】  そして、前記テンプルを樹脂製にし、挿入用固定片の連結の際の出し入れをスムーズにした。【０００８】  前記テンプルを、樹脂以外の材料により形成し、メクラ穴が設けられる嵌合部部分を樹脂により作り、前記樹脂以外の材料のテンプルに固着する事により色んな材質のテンプルを交換出来、且つ挿入用固定片の出し入れをスムーズに行える様にした。
【発明の効果】
【０００９】  本発明により、テンプルと連結回動部品とを嵌合して差し込むだけで、二股状部分がテンプルの壁面を挟持するので、しっかり固くテンプルと連結回動部品が連結されぐらつきや抜けるということが無くなり、安心して従前の眼鏡と同じ様に使用可能となり、且つテンプルの交換も自由に簡単に行えるようになった。
【発明を実施するための最良の形態】
【００１０】  前端部に丁番部を有し、後方に該丁番部に連設される挿入用固定片と弾性挟持片との二股状部が設けられた連結回動部品と、合口部から後方に向かい前記連結回動部品の挿入用固定片が挿入されるメクラ穴が設けられた嵌合部を有するテンプルとを有し、前記連結回動部品の弾性挟持片と挿入用固定片によりテンプル嵌合部のメクラ穴の少なくとも一壁面を挟持する様にされた事を特徴とする取替可能なテンプルの連結構造。
【実施例１】
【００１１】  図１は本発明の取替可能なテンプルの分解斜視図であり、図２はそれを組み立てた場合の平面図であり、前端部に丁番部２１を有し、その丁番部２１はフロントフレームＦに固着されているヨロイ部の丁番部２３に回動可能に連結されており、後方には該丁番部に連設される挿入用固定片２２と弾性挟持片２４との二股状部２６が設けられた連結回動部品２０が用意される。次に、合口部１２から後方に向かい前記連結回動部品２０の挿入用固定片２２が挿入されるメクラ穴１４が穿設された嵌合部１６を有するテンプル１０が用意される。そして図２の様に前記挿入用固定片２２をテンプル１０のメクラ穴１４に挿入し、弾性挟持片２４とによりテンプル内壁面１３を圧接挟持するようにする。【００１２】  この場合、連結回動部品２０の弾性挟持片２４の後部とテンプル内壁面１３にそれぞれ凹凸部２８，１８が設けられる事が好ましく、なお一層外れ難くなる。又、前記連結回動部品２０の挿入用固定片２２とテンプル合口部１２のメクラ穴１４の寸法は勿論きっちり合っている方が良いことは言うまでもない。【００１３】  そして、テンプル１０を外す場合、交換する場合は、連結回動部品２０の弾性挟持片２４の端部２８の爪を少し起してテンプル１０を引き抜くか、或いは、テンプル１０の中間部分を片方の手で持ち、片方はヨロイ部分あたりを持ってテンプルを引き抜くとすっと抜ける。そうして別の材質からなるテンプルや、異なった装飾模様を有するテンプルを装着して使用する事が可能となる。又、機能性を付加したテンプル、例えば、電子機器を装備したテンプルの装備も可能である。【００１４】  図３は、図２の内側から見た正面図であり、図４はそのＡ−Ａ断面図である。連結回動部品２０の挿入用固定片２２と弾性挟持片２４によりテンプル１０の内壁面１３をしっかり挟持する事によりがたつきも無く連結回動部品２０とテンプル１０はしっかり固定可能になる。ここで、テンプル１０の材質は樹脂が好ましく滑りが良く、金属同士だと軋んだり傷がつき易い。そして連結回動部品２０の挿入用固定片２２と弾性挟持片２４の二股状部品は金属製の弾性を有するものが好ましい。【００１５】  図５は、テンプル１０ａが樹脂以外の材料、例えば、金属、木、竹、牙、骨等で作られたものである場合の内側正面図であり、図６は、Ｂ−Ｂ，図７はＣ−Ｃ拡大断面図である。【００１６】  この場合、嵌合部分１６ａを樹脂で形成し、樹脂以外の材質からなるテンプル１０ａの合口部近辺をくり抜くか凹部を形成して樹脂製嵌合部品１６ａを嵌め込み固着する。固着する方法としては、接着剤、ネジ、ピン、等の適宜手段で良い。そうして後は上述したのと同様に連結回動部品２０ａを嵌め込んで行けば良い。本発明により眼鏡使用時にはしっかりとぐらつかない結合を有し、テンプルを取り外し分離する際は交換が簡単なテンプルが提供可能となった。
【図面の簡単な説明】
【００１７】
【図１】本発明のテンプルの分解斜視図
【図２】図１から組立てた要部平面図
【図３】図２の内側からの要部正面図
【図４】図３のＡ−Ａ拡大断面図
【図５】本発明の他の実施例の要部正面図
【図６】図５のＢ−Ｂ拡大断面図
【図７】図５のＣ−Ｃ拡大断面図
【符号の説明】
１０        テンプル
１２        テンプル合口部
１３        テンプル内壁面
１４        テンプルメクラ穴
１６        嵌合部
１８        凹凸部
２０        連結回動部品
２１        丁番部
２２        挿入用固定片
２３        丁番部（ヨロイ側）
２４        弾性挟持片
２６        二股状部
２８        連結回動部品凹凸部
【図１】
2009063978.tif 000003
【図２】
2009063978.tif 000004
【図３】
2009063978.tif 000005
【図４】
2009063978.tif 000006
【図５】
2009063978.tif 000007
【図６】
2009063978.tif 000008
【図７】
2009063978.tif 000009